(57)【特許請求の範囲】
【請求項１】
ピボットシャフトにナットでねじ止めされるピボットシャフト固定部とヘッドカバー取付部がそれぞれ基端部に形成され、先端部にリテーナの基端部が回動自在に結合されたアームヘッドと、先端部にアームピースの基端部が固定されたリテーナと、先端部にワイパブレードが装着されたアームピースと、上記アームピースの基端部に一端部が係止され上記アームヘッドの先端部に他端部が係止されたアームスプリングと、上記アームヘッドのヘッドカバー取付部に取付けられるヘッドカバーとを備えたワイパアームであって、上記ヘッドカバーには、上記ピボットシャフトにねじ込まれたナットに係止可能なナット係止用舌片と、アームヘッド側に当接する当接部とが形成され、上記アームヘッドのヘッドカバー取付部には、上記ヘッドカバーの当接部に当接する当接部受が形成されているとともに、該ヘッドカバーの当接部が該当接部受に当接するまでヘッドカバーの回動を誘導可能なガイドが形成され、該アームヘッドのガイドには当接部受からピボットシャフト固定部に向け湾曲していてヘッドカバーの当接部が摺接可能な凸面部が備えられていることを特徴とするワイパアーム。
【請求項２】
ワイパモータにより往復回動する第１のピボットシャフトに第１のナットでねじ止めされる第１のピボットシャフト固定部と第１のヘッドカバー取付部が基端部に形成され、先端部にメインアームヘッドに回動自在に結合される第１のメインアームヘッド結合部が形成された第１のサブアームヘッドと、上記第１のサブアームヘッドの第１のヘッドカバー取付部に取付けられる第１のヘッドカバーと、往復回動自在な第２のピボットシャフトに第２のナットでねじ止めされる第２のピボットシャフト固定部と第２のヘッドカバー取付部が基端部に形成され、先端部にメインアームヘッドに回動自在に結合される第２のメインアームヘッド結合部が形成された第２のサブアームヘッドと、上記第２のサブアームヘッドの第２のヘッドカバー取付部に取付けられる第２のヘッドカバーと、上記第１のサブアームヘッドの第１のメインアームヘッド結合部が回動自在に結合される第１のサブアームヘッド結合部、上記第２のサブアームヘッドの第２のメインアームヘッド結合部が回動自在に結合される第２のサブアームヘッド結合部がそれぞれ形成されているとともに、リテーナの基端部が回動自在に結合されたメインアームヘッドと、先端部にアームピースの基端部が固定されたリテーナと、先端部にワイパブレードが装着されたアームピースと、上記アームピースの基端部に一端部が係止され上記メインアームヘッドの先端部に他端部が係止されたアームスプリングとを備えたワイパアームであって、上記第１、第２のヘッドカバーには、上記第１、第２のピボットシャフトにねじ込まれた第１、第２のナットにそれぞれ係止可能な第１、第２のナット係止用舌片と、第１、第２のサブアームヘッド側に当接する第１、第２の当接部がそれぞれ形成され、上記第１、第２のサブアームヘッドの第１、第２のヘッドカバー取付部には、第１、第２のヘッドカバーの第１、第２の当接部にそれぞれ当接する第１、第２の当接部受が形成されているとともに、該第１、第２のヘッドカバーの第１、第２の当接部が該第１、第２の当接部受にそれぞれ当接するまで第１、第２のヘッドカバーの回動を誘導可能な第１、第２のガイドがそれぞれ形成され、該第１、第２のサブアームヘッドの第１、第２のガイドには、第１、第２も当接部受側から第１、第２のピボットシャフト固定部に向け湾曲していて第１、第２のヘッドカバーの第１、第２の当接部がそれぞれ摺接可能な第１、第２の凸面部がそれぞれそなえられていることを特徴とするワイパアーム。
【発明の詳細な説明】
【０００１】
【発明の属する技術分野】
この発明は、ワイパブレードを装着して払拭面を拭うワイパアームに関する。
【０００２】
【従来の技術】
ワイパブレードを装着して払拭面を拭うワイパアームとしては、一端部がピボットシャフトにねじ止めされたアームヘッドの他端部にリテーナの一端部が回動自在に結合され、このリテーナの他端部にアームピースが固定され、アームピースとアームヘッドとにアームスプリングがそれぞれ係止され、アームピースの先端部にワイパブレードが装着されているものが知られている。
【０００３】
【発明が解決しようとする課題】
上記したワイパアームでは、アームヘッドの一端部にピボットシャフトが挿通され、そのピボットシャフトにナットがねじ止めされることによってアームヘッドがピボットシャフトに結合され、そのナットにヘッドカバーが嵌着されることによってヘッドカバーがアームヘッドに取付けられているが、ヘッドカバーは、ナットに係止されるだけなので、アームヘッドに対してずれた位置で取付けられることがあり、アームヘッドに対してずれて取付けられた場合、美観を損ねるという問題点があり、この問題点を解決することが課題になっていた。
【０００４】
【発明の目的】
この発明に係わるワイパアームは、アームヘッドに対して位置ずれすることなく確実にヘッドカバーが取付けられることによって、美観を損ねることのないワイパアームを提供することを目的としている。
【０００５】
【発明の構成】
【０００６】
【課題を解決するための手段】
この発明の請求項１に係わる発明では、ピボットシャフトにナットでねじ止めされるピボットシャフト固定部とヘッドカバー取付部がそれぞれ基端部に形成され、先端部にリテーナの基端部が回動自在に結合されたアームヘッドと、先端部にアームピースの基端部が固定されたリテーナと、先端部にワイパブレードが装着されたアームピースと、アームピースの基端部に一端部が係止され上記アームヘッドの先端部に他端部が係止されたアームスプリングと、アームヘッドのヘッドカバー取付部に取付けられるヘッドカバーとを備えたワイパアームであって、ヘッドカバーには、ピボットシャフトにねじ込まれたナットに係止可能なナット係止用舌片と、アームヘッド側に当接する当接部とが形成され、アームヘッドのヘッドカバー取付部には、ヘッドカバーの当接部に当接する当接部受が形成されているとともに、ヘッドカバーの当接部が該当接部受に当接するまでヘッドカバーの回動を誘導可能なガイドが形成され、アームヘッドのガイドには当接部受からピボットシャフト固定部に向け湾曲していてヘッドカバーの当接部が摺接可能な凸面部が備えられていることを特徴としている。
【０００７】
この発明の請求項２に係わるワイパアームでは、ワイパモータにより往復回動する第１のピボットシャフトに第１のナットでねじ止めされる第１のピボットシャフト固定部と第１のヘッドカバー取付部が基端部に形成され、先端部にメインアームヘッドに回動自在に結合される第１のメインアームヘッド結合部が形成された第１のサブアームヘッドと、第１のサブアームヘッドの第１のヘッドカバー取付部に取付けられる第１のヘッドカバーと、
往復回動自在な第２のピボットシャフトに第２のナットでねじ止めされる第２のピボットシャフト固定部と第２のヘッドカバー取付部が基端部に形成され、先端部にメインアームヘッドに回動自在に結合される第２のメインアームヘッド結合部が形成された第２のサブアームヘッドと、第２のサブアームヘッドの第２のヘッドカバー取付部に取付けられる第２のヘッドカバーと、第１のサブアームヘッドの第１のメインアームヘッド結合部が回動自在に結合される第１のサブアームヘッド結合部、第２のサブアームヘッドの第２のメインアームヘッド結合部が回動自在に結合される第２のサブアームヘッド結合部がそれぞれ形成されているとともに、リテーナの基端部が回動自在に結合されたメインアームヘッドと、先端部にアームピースの基端部が固定されたリテーナと、先端部にワイパブレードが装着されたアームピースと、アームピースの基端部に一端部が係止されメインアームヘッドの先端部に他端部が係止されたアームスプリングとを備えたワイパアームであって、第１、第２のヘッドカバーには、第１、第２のピボットシャフトにねじ込まれた第１、第２のナットにそれぞれ係止可能な第１、第２のナット係止用舌片と、第１、第２のサブアームヘッド側に当接する第１、第２の当接部がそれぞれ形成され、第１、第２のサブアームヘッドの第１、第２のヘッドカバー取付部には、第１、第２のヘッドカバーの第１、第２の当接部にそれぞれ当接する第１、第２の当接部受が形成されているとともに、第１、第２のヘッドカバーの第１、第２の当接部が該第１、第２の当接部受にそれぞれ当接するまで第１、第２のヘッドカバーの回動を誘導可能な第１、第２のガイドがそれぞれ形成され、該第１、第２のサブアームヘッドの第１、第２のガイドには、第１、第２も当接部受側から第１、第２のピボットシャフト固定部に向け湾曲していて第１、第２のヘッドカバーの第１、第２の当接部がそれぞれ摺接可能な第１、第２の凸面部がそれぞれそなえられていることを特徴としている。
【０００８】
【発明の作用】
この発明の請求項１、２に係わるワイパアームにおいて、ヘッドカバーは、ナット係止用舌片がピボットシャフトにねじ込まれたナットに係止することによってアームヘッドに取付けられるに際し、アームヘッドに対して向きがずれていたとしても、アームヘッドのガイドに備えられた凸面部よってヘッドカバーの当接部がアームヘッドの当接部受に当接するまでヘッドカバーの回動が誘導される。それ故、ヘッドカバーは、アームヘッドに対しずれることなく位置決めされて取付けられる。
【０００９】
【実施例】
図１ないし図７にはこの発明に係わるワイパアームの第１実施例が示されている。
【００１０】
図示するワイパアーム１は、主として、アームヘッド２、リテーナ３、アームピース４、アームスプリング５、ヘッドカバー６から構成されている。
【００１１】
アームヘッド２には、天板２ａ１、一方の側板２ａ２、他方の側板２ａ３から断面形状がコ字形にされたアームヘッド本体２ａの基端部にピボットシャフト固定部２ｂ、ヘッドカバー取付部２ｃがそれぞれ形成され、アームヘッド本体２ａの先端部にリテーナ結合部２ｄが形成されている。
【００１２】
ピボットシャフト固定部２ｂは、アームヘッド本体２ａの基端部に配置されたベース２ｅに形成されており、このピボットシャフト固定部２ｂには、図３に示されるように、丸孔に貫通形成されたピボットシャフト挿通孔２ｂ１と、このピボットシャフト挿通孔２ｂ１のまわりにベース２ｅの上面２ｅ１から環状の凹溝形にして形成された舌片収容部２ｂ２とが備えられている。
【００１３】
ピボットシャフト挿通孔２ｂ１には、アームヘッド２の下方側からピボットシャフト７の先端部が挿通され、ベース２ｅの上面２ｅ１側で、ピボットシャフト７に形成された雄ねじ７ａにナット８がねじ込まれることによって、アームヘッド２がピボットシャフト７にねじ止められる。
【００１４】
舌片収容部２ｂ２には、ヘッドカバー６に形成されたナットガイド用舌片６ｂ、ナット係止用舌片６ｃが収容される。舌片収容部２ｂ２に収容されたヘッドカバー６のナット係止用舌片６ｃは、先端部に形成された突起部６ｃ１がナット８の下部に係止される。
【００１５】
ヘッドカバー取付部２ｃは、アームヘッド本体２ａのベース２ｅ上に形成されており、ヘッドカバー取付部２ｃには、図４に示されるように、ベース２ｅの上面２ｅ１に対し傾斜した当接部受２ｃ１が形成されている。この当接部受２ｃ１は、アームヘッド本体２ａの天板２ａ１の板厚方向に幅寸法をもつ第１の面２ｃ２と、同じくアームヘッド本体２ａの第１の側板２ａ２の板厚方向に幅寸法をもつ第２の面２ｃ３と、同じくアームヘッド本体２ａの第２の側板２ａ３の板厚方向に幅寸法をもつ第３の面２ｃ４とからコ字形に形成されている。ヘッドカバー取付部２ｃの当接部受２ｃ１には、ヘッドカバー６に形成された当接部６ｄが当接する。
【００１６】
そして、ヘッドカバー取付部２ｃには、当接部受２ｃ１の内側にガイド２ｃ５が形成されている。ガイド２ｃ５には、ベース２ｅの上面２ｅ１上で当接部受２ｃ側からピボットシャフト固定部２ｂに向け湾曲状に突出された凸面部２ｃ６が形成されている。この凸面部２ｃ６は、当接部受２ｃ１の第２の面２ｃ３および第３の面２ｃ４に平行に配置されているため、ベース２ｅの上面２ｅ１に対して傾斜している。
【００１７】
ヘッドカバー取付部２ｃのガイド２ｃ５は、ヘッドカバー６がヘッドカバー取付部２ｃに取付けられる際に、ヘッドカバー６がヘッドカバー取付部２ｃに対してずれて取付けられようとすると、ヘッドカバー６の当接部６ｄがガイド２ｃ５の凸面部２ｃ６に摺接することによって、ヘッドカバー６の当接部６ｄが当接部受２ｃ１に一致するようにヘッドカバー６を強制的に回動させて、ヘッドカバー６の当接部６ｄを当接部受２ｃ１に当接させることによって、ヘッドカバー６をヘッドカバー取付部２ｃで位置決めして取付ける機能をもつ。
【００１８】
ヘッドカバー取付部２ｃには、ヘッドカバー６が取付けられている。ヘッドカバー６には、図３に示されるように、外板６ａ、ナットガイド用舌片６ｂ、ナット係止用舌片６ｃ、当接部６ｄが備えられている。
【００１９】
外板６ａは、図７に示されるように、天板６ａ１、一方の側板６ａ２、他方の側板６ａ３からなり、ナット８がピボットシャフト７にねじ止められたアームヘッド２のピボットシャフト固定部２ｂを覆う形状にされている。
【００２０】
ナットガイド用舌片６ｂ、ナット係止用舌片６ｃは、天部６ａ１のほぼ中央から下方に向け円環形に突出されており、図６に示されるように、それぞれが互い違いにして等間隔で３個づつ配置されている。
【００２１】
３個のナットガイド用舌片６ｂのそれぞれは、ピボットシャフト固定部２ｂの舌片収容部２ｂ２に収容されるが、ピボットシャフト７にねじ止められたナット８に係止せずにナット８に備えられたフランジ８ａの外側に配置されることによって、ヘッドカバー６をナット８に対して位置決めする機能をもつ。
【００２２】
３個のナット係止用舌片６ｃのそれぞれの先端部には、ナット８側である内側に突出した突起部６ｃ１がそれぞれ形成されているため、ナット係止用舌片６ｃのそれぞれがピボットシャフト固定部２ｂの舌片収容部２ｂ２に収容されて、ピボットシャフト７にねじ込まれたナット８の下部に係止することによって、ヘッドカバー６をヘッドカバー取付部２ｃから外れないように装着する機能をもつ。このとき、ナット８はフランジ付き六角ナットであるため、図３に示されるように、３個のナット係止用舌片６ｃのそれぞれの突起部６ｃ１がナット８の下部に円板形に一体成形されたフランジ８ａの下部に係止する。
【００２３】
当接部６ｄは、外板６ａの天板６ａ１、一方の側板６ａ２、他方の側板６ａ３の端部に配置されている。この当接部６ｄは、アームヘッド本体２ａの当接部受２ｃ１に当接するように形成されており、この当接部６ｄには、アームヘッド本体２ａの当接部受２ｃ１の第１の面２ｃ２に対応した第４の面６ｄ１が天板６ａ１に形成され、同じくアームヘッド本体２ａの当接部受２ｃ１の第２の面２ｃ３に対応した第５の面６ｄ２が一方の側板６ａ２に形成され、同じくアームヘッド本体２ａの当接部受２ｃ１の第３の面２ｃ４に対応した第６の面６ｄ３が他方の側板６ａ３に形成されている。
【００２４】
ヘッドカバー６は、アームヘッド２のヘッドカバー取付部２ｃに取付けられるに際し、３個のナット係止用舌片６ｃのそれぞれの突起部６ｃ１がナット８のフランジ８ａに係止された状態で、当接部６ｄがアームヘッド２の当接部受２ｃ１に対して図４中の後方にずれて配置された場合、当接部６ｄの第５の面６ｄ２がアームヘッド２の当接部受２ｃ１の第２の面２ｃ３から離れるとともに、当接部６ｄの第６の面６ｄ３がアームヘッド２の当接部受２ｃ１の第３の面２ｃ４から離れる。そして、当接部６ｄの第５の面６ｄ２がアームヘッド２のガイド２ｃ５の凸面部２ｃ６に摺接することによって、当接部６ｄの第５の面６ｄ２がアームヘッド２の当接部受２ｃ１の第２の面２ｃ３に当接するように誘導されて、ヘッドカバー６が図４中反時計方向にベース２ｅ上を強制的に回動され、その結果、当接部６ｄがアームヘッド２の当接部受２ｃ１に当接され、ヘッドカバー６がアームヘッド２のヘッドカバー取付部２ｃに位置ずれなく取付けられる。
【００２５】
また、ヘッドカバー６は、アームヘッド２のヘッドカバー取付部２ｃに取付けられるに際し、３個のナット係止用舌片６ｃのそれぞれの突起部６ｃ１がナット８のフランジ８ａに係止された状態で、当接部６ｄがアームヘッド２の当接部受２ｃ１に対して図４中の前方にずれて配置された場合、当接部６ｄの第６の面６ｄ３がアームヘッド２の当接部受２ｃ１の第３の面２ｃ４から離れるとともに、当接部６ｄの第５の面６ｄ２がアームヘッド２の当接部受２ｃ１の第２の面２ｃ３から離れる。そして、当接部６ｄの第６の面６ｄ３がアームヘッド２のガイド２ｃ５の凸面部２ｃ６に摺接することによって、当接部６ｄの第６の面６ｄ３がアームヘッド２の当接部受２ｃ１の第３の面２ｃ４に当接するように誘導されて、ヘッドカバー６が図４中時計方向にベース２ｅ上を強制的に回動され、その結果、当接部６ｄがアームヘッド２の当接部受２ｃ１に当接され、ヘッドカバー６がアームヘッド２のヘッドカバー取付部２ｃに位置ずれなく取付けられる。
【００２６】
アームヘッド本体２ａのリテーナ結合部２ｄには、図１中上下方向に、支持軸９が回動自在に支持されているとともに、アームスプリング係止ピン１０が圧入固定されている。支持軸９には、リテーナ結合部２ｄの外側にリテーナ３の基端部に形成されたアームヘッド結合部３ａが固定されている。アームスプリング係止ピン１０にはアームスプリング５に備えたフック５ａの一端部が係止されている。
【００２７】
リテーナ３は、断面がコ字形にされたリテーナ本体３ｂの基端部にアームヘッド結合部３ａが配置され、リテーナ本体３ｂの先端部に形成されたアームピース結合部３ｃにアームピース４の基端部がリベット止めされている。
【００２８】
アームピース４には、棒形にされたアームピース本体４ａの基端部にアームスプリング係止部４ａが形成され、アームピース本体４ａの先端部にワイパブレード取付部４ｂが形成されている。アームスプリング係止部４ａには、アームスプリング５に備えられたスプリング本体５ｂの他端部が係止されている。ワイパブレード取付部４ｂには、ワイパブレード１１のほぼ中央部が回動自在に装着されている。
【００２９】
アームスプリング５には、ねじりコイルばねであるアームスプリング本体５ｂと、フック５ａとが備えられており、アームスプリング本体５ｂの他端部がアームピース４の基端部のアームスプリング係止部４ａに係止され、アームスプリング本体５ｂの一端部がフック５ａの他端部に係止されている。
【００３０】
このような構造をもつワイパアーム１は、図示しない車体の払拭面の近くに突出配置されたピボットシャフト７に取付けられる。その際、アームヘッド２のピボットシャフト固定部２ｂの下方側から、ピボットシャフト挿通孔２ｂ１にピボットシャフト７の先端部が挿通され、ベース２ｅの上面２ｅ１側で、ピボットシャフト７の雄ねじ７ａにナット８がねじ込まれることによって、アームヘッド２がピボットシャフト７にねじ止められる。
【００３１】
そして、ヘッドカバー６がアームヘッド２のヘッドカバー取付部２ｃに取付けられる。ヘッドカバー６は、３個のナットガイド用舌片６ｂ、３個のナット係止用舌片６ｃがピボットシャフト固定部２ｂの舌片収容部２ｂ２に収容され、ナット係止用舌片６ｃの突起部６ｃ１がナット８のフランジ８ａにそれぞれ係止することによって、ヘッドカバー取付部２ｃから外れないように保持される。そのとき、ヘッドカバー６の当接部６ｄがアームヘッド２の当接部受２ｃ１に対してずれて配置されていた場合、当接部６ｄの第５の面６ｄ２あるいは第６の面６ｄ３がアームヘッド２のガイド２ｃ５の凸面部２ｃ６に摺接することによって、ヘッドカバー６がベース２ｅ上を強制的に回動されて、当接部６ｄがアームヘッド２の当接部受２ｃ１に当接され、ヘッドカバー６がアームヘッド２のヘッドカバー取付部２ｃに位置ずれなく取付けられる。
【００３２】
上述したように、ヘッドカバー６は、アームヘッド２のヘッドカバー取付部２ｃにずれて取付けられようとしても、当接部６ｄがアームヘッド２のガイド２ｃ５に当接することによって、位置ずれを修正されてヘッドカバー取付部２ｃに取付けられるものとなる。
【００３３】
図８および図９にはこの発明に係わるワイパアームの第２実施例が示されている。
【００３４】
この場合のワイパアーム１００は、第１実施例に示したアームヘッド２の形状が異なり、そのアームヘッド２がメインアームヘッド２０、第１のサブアームヘッド２１、第２のサブアームヘッド２２から構成されており、第１のサブアームヘッド２１に第１のピボットシャフト２３がねじ止めされ、第２のサブアームヘッド２２に第２のピボットシャフト２４がねじ止めされる。
【００３５】
メインアームヘッド２０には、メインアームヘッド本体２０ａの基端部に第１のサブアームヘッド結合部２０ｂ、第２のサブアームヘッド結合部２０ｃが離れて形成されており、メインアームヘッド本体２０ａの先端部にリテーナ結合部２０ｄが形成されている。リテーナ結合部２０ｄに結合されているリテーナ２５、このリテーナ２５に結合されているアームピース２６、メインアームヘッド２０とアームピース２６とにそれぞれ係止されているアームスプリング２７は、第１実施例と同様に構成されているので、ここではそれらの詳細な説明は省略する。
【００３６】
メインアームヘッド２０の第１のサブアームヘッド結合部２０ｂには、第１のサブアームヘッド２１の先端部に形成された第１のメインアームヘッド結合部２１ａが回動自在に結合されている。メインアームヘッド２０の第２のサブアームヘッド結合部２０ｃには、第２のサブアームヘッド２２の先端部に形成された第１のメインアームヘッド結合部２２ａが回動自在に結合されている。このメインアームヘッド２０には、ピボットシャフト固定部、ヘッドカバー取付部は形成されていない。
【００３７】
第１のサブアームヘッド２１には、先端部に第１のメインアームヘッド結合部２１ａが配置され、基端部に第１のピボットシャフト固定部２１ｂ、第１のヘッドカバー取付部２１ｃがそれぞれ形成されている。
【００３８】
第１のピボットシャフト固定部２１ｂには、第１実施例と同様にして、ベース２１ｅ、上面２１ｅ１、第１のピボットシャフト挿通孔２１ｂ１、舌片収容部２１ｂ２がそれぞれ形成されている。
【００３９】
ピボットシャフト挿通孔２ｂ１には、第１のサブアームヘッド２１の下方側から第１のピボットシャフト２３の先端部が挿通され、ベース２１ｅの上面２１ｅ１側で、第１のピボットシャフト２３に形成された雄ねじ２３ａに第１のナット２８がねじ込まれることによって、第１のサブアームヘッド２１が第１のピボットシャフト２８にねじ止められる。
【００４０】
第１のヘッドカバー取付部２１ｃには、第１実施例と同様にして、当接部受２１ｃ１、ガイド２１ｃ２、凸面部２１ｃ３が形成されており、この第１のヘッドカバー取付部２１ｃに第１のヘッドカバー２９が取付けられる。
【００４１】
第１のヘッドカバー２９には、第１実施例と同様にして、外板２９ａ、ナットガイド用舌片２９ｂ、ナット係止用舌片２９ｃ、突起部２９ｃ１、当接部２９ｄが形成されている。
【００４２】
第１のヘッドカバー２９は、第１のサブアームヘッド２１の第１のヘッドカバー取付部２１ｃに取付けられるに際し、ナット係止用舌片２９ｃのそれぞれの突起部２９ｃ１が第１のナット２８のフランジ２８ａに係止された状態で、当接部２９ｄが第１のサブアームヘッド２１の当接部受２１ｃ１に対してずれて配置された場合、当接部２９ｄが第１のサブアームヘッド２１の当接部受２１ｃ１から離れる。そして、当接部２９ｄが第１のサブアームヘッド２１のガイド２１ｃ２の凸面部２１ｃ３に摺接することによって、当接部２９ｄが第１のサブアームヘッド２１の当接部受２１ｃ１に当接するように誘導されて、第１のヘッドカバー２９がベース２０ｅ上を強制的に回動され、その結果、当接部２９ｄが第１のサブアームヘッド２１の当接部受２１ｃ１に当接され、第１のヘッドカバー２９が第１のサブアームヘッド２１の第１のヘッドカバー取付部２１ｃに位置ずれなく取付けられる。
【００４３】
第２のサブアームヘッド２２は、第１のサブアームヘッド２１よりも長さ寸法が大きいものとして第１のサブアームヘッド２１と同様に構成されており、先端部に第１のメインアームヘッド結合部２２ａが配置され、基端部に第２のピボットシャフト固定部２２ｂ、第２のヘッドカバー取付部２２ｃがそれぞれ形成されている。
【００４４】
第２のピボットシャフト固定部２２ｂには、第１のピボットシャフト固定部２１ｂと同様にして、ベース２２ｅ、上面２２ｅ１、第２のピボットシャフト挿通孔２２ｂ１、舌片収容部２２ｂ２がそれぞれ形成されており、第２のピボットシャフト固定部２２ｂは、第２のピボットシャフト挿通孔２２ｂ１に第２のピボットシャフト２４が挿通されて第２のナット３０がねじ込まれることによって、第２のピボットシャフト２４にねじ止められる。
【００４５】
そして、第２のヘッドカバー取付部２２ｃには、第１のヘッドカバー取付部２１ｃと同様にして、当接部受２２ｃ１、ガイド２２ｃ２、凸面部２２ｃ３が形成されており、この第２のヘッドカバー取付部２２ｃに第２のヘッドカバー３１が取付けられる。
【００４６】
第２のヘッドカバー３１には、第１のヘッドカバー２９と同様にして、外板３１ａ、ナットガイド用舌片３１ｂ、ナット係止用舌片３１ｃ、突起部３１ｃ１、当接部３１ｄが形成されている。
【００４７】
第２のヘッドカバー３１は、第２のサブアームヘッド２２の第２のヘッドカバー取付部２２ｃに取付けられるに際し、ナット係止用舌片３１ｃのそれぞれの突起部３１ｃ１が第２のナット３０のフランジ３０ａに係止された状態で、当接部３１ｄが第２のサブアームヘッド２２の当接部受２２ｃ１に対してずれて配置された場合、当接部３１ｄが第２のサブアームヘッド２２の当接部受２２ｃ１から離れる。そして、当接部３１ｄが第２のサブアームヘッド２２のガイド２２ｃ２の凸面部２２ｃ３に摺接することによって、当接部３１ｄが第２のサブアームヘッド２２の当接部受２２ｃ１に当接するように誘導されて、第２のヘッドカバー３１がベース２２ｅ上を強制的に回動され、その結果、当接部３１ｄが第２のサブアームヘッド２２の当接部受２２ｃ１に当接され、第２のヘッドカバー３１が第２のサブアームヘッド２２の第２のヘッドカバー取付部２２ｃに位置ずれなく取付けられる。
【００４８】
上述したように、この場合、第１、第２のヘッドカバー２９、３１は、第１、第２のサブアームヘッド２１、２２の第１、第２のヘッドカバー取付部２１ｃ、２２ｃにずれて取付けられようとしても、当接部２９ｄ、３１ｄが第１、第２のサブアームヘッド２１、２２のガイド２１ｃ２、２２ｃ２にそれぞれ当接することによって、位置ずれを修正されて第１、第２のヘッドカバー取付部２１ｃ、２２ｃに取付けられるものとなる。
【００４９】
【発明の効果】
以上説明してきたように、この発明の請求項１、２に係わるワイパアームによれば、ヘッドカバーは、ナット係止用舌片がピボットシャフトにねじ込まれたナットに係止することによってアームヘッドに取付けられるに際し、アームヘッドに対して向きがずれていたとしても、アームヘッドのガイドに備えられた凸面部によってヘッドカバーの当接部がアームヘッドの当接部受に当接するまでヘッドカバーの回動が誘導される。それ故、ヘッドカバーは、アームヘッドに対しずれることなく位置決めされて取付けられる。よって、アームヘッドに対して位置ずれすることなく確実にヘッドカバーが取付けられることによって、美観を損ねることがないという優れた効果を奏する。
【図面の簡単な説明】
【図１】この発明に係わるワイパアームの第１実施例の部分破断平面図である。
【図２】図１に示したワイパアームの縦断正面図である。
【図３】図１に示したワイパアームに用いられるアームヘッドの縦断正面図である。
【図４】図３に示したアームヘッドの部分破断斜視図である。
【図５】図１に示したワイパアームにおいてのヘッドカバーの縦断正面図である。
【図６】図５に示したヘッドカバーの底面図である。
【図７】図６に示したヘッドカバーの縦断側面図である。
【図８】この発明に係わるワイパアームの第２実施例の平面図である。
【図９】図８に示したワイパアームにおいてのサブアームヘッドの縦断正面図である。
【符号の説明】
１        ワイパアーム
２        アームヘッド
２ｂ      ピボットシャフト固定部
２ｃ      ヘッドカバー取付部
２ｃ１    当接部受
２ｃ５    ガイド
２ｃ６    凸面部
３        リテーナ
４        アームピース
５        アームスプリング
６        ヘッドカバー
６ｃ      ナット係止用舌片
６ｄ      当接部
７        ピボットシャフト
８        ナット
１１      ワイパブレード
２０      メインアームヘッド
２０ｂ    第１のサブアームヘッド結合部
２０ｃ    第２のサブアームヘッド結合部
２１      第１のサブアームヘッド
２１ａ    第１のメインアームヘッド結合部
２１ｂ    第１のピボットシャフト固定部
２１ｃ    第１のヘッドカバー取付部
２１ｃ１  第１の当接部受
２１ｃ２  第１のガイド
２１ｃ３  第１の凸面部
２２      第２のサブアームヘッド
２２ａ    第２のメインアームヘッド結合部
２２ｂ    第２のピボットシャフト固定部
２２ｃ    第２のヘッドカバー取付部
２２ｃ１  第２の当接部受
２２ｃ２  第２のガイド
２２ｃ３  第２の凸面部
２３      第１のピボットシャフト
２４      第２のピボットシャフト
２５      リテーナ
２６      アームピース
２７      アームスプリング
２８      第１のナット
２９      第１のヘッドカバー
２９ｃ    第１のナット係止用舌片
２９ｄ    第１の当接部
３０      第２のナット
３１      第２のヘッドカバー
３１ｃ    第２のナット係止用舌片
３１ｄ    第２の当接部
４１      ワイパモータ
５２      （ワイパブレード）第１のワイパブレード
【図１】
0003787693.tif 000002
【図２】
0003787693.tif 000003
【図３】
0003787693.tif 000004
【図４】
0003787693.tif 000005
【図５】
0003787693.tif 000006
【図６】
0003787693.tif 000007
【図７】
0003787693.tif 000008
【図８】
0003787693.tif 000009
【図９】
0003787693.tif 000010